(57)【要約】【課題】分配スターを適用するための時間のかかる面倒な作業を必要としないで、組み立てプロセスの長い停止を回避する容器用の分配スターを提供する【解決手段】本発明は、複数の容器（特に、ボトル）を取扱うためのシステム、例えば充填プラントに使用されるタイプの容器用の分配スターに関する。より詳細には、本発明は、リング部材（２）を具備する、容器を取扱うためのシステムに使用されるタイプの分配スターにおいて、リング部材は、複数のグリッパー（１２）を支持している環状の固定された部材（１３）と、グリッパー用のカム手段（１１）を支持している環状の変位部材（１０）とを具備し、この環状の変位部材は、グリッパーに対するカム手段の夫々異なる位置で環状の変位部材を設定するように、リング部材の外周に沿って変位可能であることを特徴とする分配スターに関する。【選択図】  図２
2009035427.tif 000002
【特許請求の範囲】
【請求項１】
複数の容器を取扱うためのシステムに使用されるタイプの、リング構造体（２）を具備する分配スター（１）において、リング構造体は、
複数のグリッパー（１２）を支持している環状の固定された部材（１３）と、
前記グリッパー（１２）用のカム手段（１１）を支持している環状の変位部材（１０）とを具備し、
この環状の変位部材（１０）は、前記グリッパー（１２）に対する前記カム手段（１１）の夫々異なる位置で環状の変位部材（１０）を設定するように、前記リング構造体（２）の外周に沿って変位可能であることを特徴とする分配スター。
【請求項２】
前記リング構造体（２）は、容器（Ｃ）のネック部（Ａ）の突出カラー（Ｂ）に係合するための複数の切欠部材（１５）を支持している環状の調節可能な部材（１４）を更に具備し、この環状の調節可能な部材（１４）は、前記環状の固定された部材（１３）に対して同心的で外側の位置に配置されている請求項１の分配スター（１）。
【請求項３】
前記リング構造体（２）は、分配スター（１）用の回転可能な支持体（３）に結合された環状の支持部材（９）を更に具備し、この環状の支持部材（９）は、前記環状の変位部材（１０）に対して同心的で内側の位置に配置されている請求項１又は２の分配スター（１）。
【請求項４】
前記リング構造体（２）は、前記環状の支持部材（９）と変位部材（１０）と固定された部材（１３）とを接続している環状の結合プレート（１６）を有し、この環状の結合プレート（１６）は、固定手段（１７，１７’）により、これら支持部材と変位部材と固定された部材とに取り外し可能に固定されている請求項１ないし３のいずれか１の分配スター（１）。
【請求項５】
前記環状の結合プレート（１６）と前記環状の変位部材（１０）とを接続している前記固定手段（１７’）は、環状の変位部材（１０）に形成されたスロットに通されているねじボルトアッセンブリであり、このねじボルトアッセンブリは、緩められると、変位部材がスターの軸線の周りで回動され得るようになっている請求項４の分配スター（１）。
【請求項６】
前記環状の結合プレート（１６）は、前記環状の変位部材（１０）の透孔（３２’）とアライメントし、分配スター（１）の半径方向に対してほぼ垂直な関係で位置された複数のスロット（３２）を有し、これらスロット（３２）の各々とこれに対応した透孔（３２’）との中には、ピン（３３）が挿入されている請求項５の分配スター。
【請求項７】
少なくとも３つのスロット（３２）とピン（３３）とが設けられている請求項６の分配スター（１）。
【請求項８】
前記グリッパー（１２）の各々は、第１のジョー（１８ａ）と第２のジョー（１８ｂ）とを有し、前記カム手段（１１）とこれらジョー（１８ａ，１８ｂ）との両方は、ヒンジ手段(１９,１９’，１９’’）により、前記環状の変位部材（１０）と前記環状の固定された部材（１３）とに夫々枢支され、前記グリッパー（１２）は、前記環状の固定された部材（１３）の上側に位置され、また、対応したメカニズムが、環状の固定された部材（１３）の下側に設置されている請求項１ないし７のいずれか１の分配スター（１）。
【請求項９】
前記カム手段（１１）は、前記グリッパーのメカニズムと干渉するような位置で前記環状の変位部材（１０）の下側に位置され、このカム手段（１１）は、第１の作用成形面（２０ａ）と、第２の作用成形面（２０ｂ）とを有し、第１の作用成形面は、グリッパー（１２）の駆動機構と相互作用するように意図され、また、第２の作用成形面は、所望の場所でグリッパー（１２）の開閉を制御するような、容器を取扱うための前記システムで予め設定された固定位置に配置されたガイド手段と相互作用するように意図されている請求項１ないし８のいずれか１の分配スター（１）。
【請求項１０】
前記グリッパー（１２）の前記第２のジョー（１８ｂ）は、前記カム手段（１１）用のロッカーアーム駆動機構である案内されたジョー（１８ｂ）であり、この案内されたジョー（１８ｂ）は、ボディ（２１）と、前記環状の固定された部材（１３）の下側の案内フィンガー（２２）と、ボディ（２１）と案内フィンガー（２２）とを一体的に結合しているシャフト（２３）と、フック（２４）とを有し、前記案内フィンガー（２２）は、グリッパー（１２）の動作工程全てにおいて、カム手段（１１）の前記第１の作用成形面（２０ａ）に接触するように意図されている請求項８又は９の分配スター。
【請求項１１】
ばね手段（２５）が、前記各案内フィンガー（２２）と前記環状の変位部材（１０）とに枢支され、このばね手段（２５）は、前記案内されたジョー（１８ｂ）を開成状態に戻すように予め負荷がかけられている請求項１０の分配スター（１）。
【請求項１２】
前記第１のジョー（１８ａ）は、ボディ（２８）と、フック（２９）とを有し、また、案内されたジョー（１８ｂ）の前記案内フィンガー（２２）は、第１のジョー（１８ａ）のボディ（２８）の受入れ手段（３０）に作用する駆動手段（２７）のような、案内されたジョー（１８ｂ）の軸線に対してほぼ垂直の方向に突出している駆動手段（２７）を有している請求項８ないし１１のいずれか１の分配スター（１）。
【請求項１３】
前記受入れ手段（３０）は、案内されたジョー（１８ｂ）の前記駆動手段（２７）用の座部を形成しているギャップにより互いに離間されている１対の歯部（３１，３１’）を有している請求項１２の分配スター（１）。
【請求項１４】
前記切欠部材（１５）は、弓形状を有し、この切欠部材の幅は、ボトルのサイズにより決定され、また、異なる幅の切欠部材（１５）は、前記環状の調節可能な部材（１４）の外周に沿ってシーケンスで設定されている請求項２ないし１３のいずれか１の分配スター（１）。
【請求項１５】
前記切欠部材（１５）は、横方向の断面で、ボトルのネック部の前記突出カラー（Ｂ）を収容するように成形されたスリット形成部（３４）を有している請求項１４の分配スター（１）。
【請求項１６】
緩めることが可能な固定手段（３５）が、必要なときに前記環状の調節可能な部材（１４）の回動を可能にして調整可能な部材を所望の位置に設定するように設けられている請求項１４又は１５の分配スター（１）。
【請求項１７】
前記緩めることが可能な固定手段（３５）は、ねじ手段であり、このねじ手段のヘッド部（３６）は、前記環状の調節部材（１４）の下面に係合して、この調節部材をヘッド部（３６）と環状の固定手段（１３）の下面との間で押圧するのに十分大きい請求項１６の分配スター（１）。
【請求項１８】
前記環状の固定された部材（１３）は、段形成部（３７）を有し、この段形成部に、前記環状の調節可能な部材（１４）が当接している請求項２ないし１７のいずれか１の分配スター（１）。
【請求項１９】
前記駆動手段（２７）は、ほぼ相補的な形状を有し前記ガイドフィンガー（２２）のボディに形成されたキャビティ中に収容され、前記ボディは、歯止め部を有し、この歯止め部は、駆動手段（２７）の回動方向への回動を防止して、これと反対方向への駆動手段の回動を可能にするように、前記案内されたジョー（１８ｂ）の当接面に当接するように意図されている請求項１２ないし１８のいずれか１の分配スター（１）。
【請求項２０】
前記駆動手段（２７）は、逃げ部を有し、ばね手段が、この逃げ部と、前記案内フィンガー（２２）に関連付けられたストッパー部材とに作用する請求項１９の分配スター（１）。
【請求項２１】
前記ばね手段は、前記歯止め部が、前記当接面に当接された状態で保持されるように、予め負荷がかけられている請求項２０の分配スター（１）。
【請求項２２】
請求項１ないし２１のいずれか１の分配スター（１）を具備する、容器を処理するための設備。
【発明の詳細な説明】
【技術分野】
【０００１】
本発明は、複数の容器（特に、ボトル）を取扱うためのシステム、例えば充填マシンに使用されるタイプの容器用の分配スターに関する。
【背景技術】
【０００２】
ボトルを移動させるように連続的に配置された複数の動作ユニットを有する線形の充填マシンと回転式の充填マシンとの両方が、知られている。特に、ペットボトルのようなプラスチック容器は、鋼又は耐性のあるプラスチックから通常なる適切なグリッパーにより、ネック部の所で引っ掛けられることにより移動される。これらグリッパーは、適切なカムにより制御される。これらカムは、把持ステーションでボトルのネック部を囲むようにグリッパーを閉成して、この状態で、解放ステーションへの全経路でボトルのネック部を把持するように、設けられている。
【０００３】
しかし、このような充填マシンでは、幾つかのサイズの異なるボトルが、通常処理されることができる。ボトルの各サイズに対して、異なるネック部が与えられることができ、従って、同じグリッパーが、全てのタイプのボトルに適していない。特に、種々のタイプのボトルのネック部の直径が異なると、グリッパーのジョーは、各直径に適合される必要がある。このため、新たな直径に適したグリッパーが装着された複数のグリッパーが装着された分配スターを取外して、他のスターに取り換える必要がある。このような作業は、時間がかかり、面倒であり、従って、プラントを比較的長く停止させる必要がある。
【発明の開示】
【０００４】
かくして、本発明の中心となる課題は、分配スターを適用するための時間がかかる面倒な作業を必要としないで、組み立てプロセスの容認できないほど長い停止を回避する容器用の分配スターを提供することである。
【０００５】
このような課題は、添付された特許請求の範囲に述べられているような容器を取扱うためのシステム用の分配スターにより解決される。特許請求の範囲の言葉の表現は、明細書のものと一体である。
【０００６】
本発明の更なる特長並びに利点は、添付図面を参照して非限定的に後述される好ましい実施形態の説明からより良く理解される。
【発明を実施するための最良の形態】
【０００７】
以下の説明では、用語「容器」と「ボトル」とは、同じようなものとして考えられる。
【０００８】
図を参照すると、本発明の目的であり、全体を通して符号１で示されている分配スターは、回転可能な支持体３に装着されたリング構造体２を有している。この回転可能な支持体３は、基台５上に回転可能に設置された基体４と、環状のプレート７に接続するように上方に突出し広がっている複数の脚部６とを有している。環状のプレート７は、ねじ等の固定手段８によりリング構造体２に固定された離間手段(distancing means)７ａを支持している。
【０００９】
前記リング構造体２は、互いに同軸の４つのリング部材を有している。
【００１０】
最も内側のリング部材は、上述したようにねじ等の固定手段８により前記離間手段７ａに結合された環状の支持部材９である。
【００１１】
第１の中間のリング部材は、複数のグリッパー１２用のカム手段１１を支持している環状の変位部材１０である。
【００１２】
第２の中間のリング部材は、前記グリッパー１２を支持している環状の固定された部材１３である。
【００１３】
同心の外側のリング部材は、後述されるようにボトルのネック部を受け入れる切欠部材１５を支持している環状の調節可能な部材１４である。
【００１４】
上側の環状の結合プレート１６が、環状の支持部材９と、変位部材１０と、固定された部材１３とを接続し(bridges)、ねじのような適切な固定手段１７，１７’によりこれら部材に取り外し可能に固定されるが、他の通常の固定手段が、同様に、適用可能である。ねじが使用されるとき、環状の結合プレート１６と環状の変位部材１０とを接続する固定手段１７’は、ねじボルトアッセンブリからなることが好ましい。ねじが緩められると、スターの軸線の周りでの回動による変位部材の変位を可能にするように、前記固定手段１７’は、環状の変位部材１０に形成されたスロットを貫通している。
【００１５】
前記環状の変位部材１０と環状の固定された部材１３とは、グリッパーアッセンブリを有しており、グリッパー１２とグリッパーメカニズムとが、環状の固定された部材１３に支持され、また、グリッパー１２を駆動させるためのカム手段１１が、環状の変位部材１０に支持されている。
【００１６】
前記グリッパー１２の各々は、第１のジョー１８ａと第２のジョー１８ｂとを有している。
【００１７】
前記カム手段１１と両ジョー１８ａ，１８ｂとは、適切なヒンジ手段１９,１９’、１９’’により、環状の変位部材１０と環状の固定された部材１３とに夫々回動可能に枢支されている。そして、前記グリッパー１２は、環状の固定された部材１３の上側に位置され、また、対応したメカニズムは、環状の固定された部材１３の他側に設置されている。また、カム手段１１は、後述されるようにグリッパーメカニズムと干渉するように、対応した環状の変位部材１０の下側に設置されている。
【００１８】
前記カム手段１１は、円板カム２０のような通常のタイプのものであり、第１の作用成形面(reactive profile)２０ａと第２の作用成形面２０ｂとを有している。第１の作用成形面は、グリッパーの駆動機構(organ)と相互作用するように意図され、また、第２の作用成形面は、所望の場所でグリッパー１２の開閉を制御するような、設備の予め設定された固定位置に配置された適切な案内手段（図示されず）と相互作用するように意図されている。
【００１９】
案内されたジョー１８ｂとして以下に称される前記第２のジョー１８ｂは、カム手段１１のためのロッカーアーム駆動機構である。この案内されたジョー１８ｂは、上述されたヒンジ手段１９’を介して前記環状の固定された部材１３に枢支されたボディ２１と、案内フィンガー２２と、ボディ２１並びに案内フィンガー２２を互いに一体的に移動させるように結合しているシャフト２３と、フック２４とを有している。
【００２０】
案内フィンガー２２は、前記カム手段１１と相互作用するように意図され、グリッパー１２の動作工程全てにおいて、案内フィンガーは、カムの前記第１の作用成形面２０ａと接触したままである。
【００２１】
前記フック２４は、容器Ｃの突出カラーＢの上方で、容器Ｃのネック部Ａと相互作用するように意図されている。
【００２２】
ばね手段２５が、ヒンジ手段２６ａにより、前記シャフト２３近くの部分の案内フィンガー２２に枢支されている。このばね手段の他端部は、ヒンジ手段２６ｂにより、前記環状の変位部材１０に直接枢支されている。これらばね手段２５は、前記案内されたジョー１８ｂを開成状態に戻し得るように予め負荷がかけられている。かくして、グリッパー１２の閉成は、案内フィンガー２２へのカム手段１１の作用により、ばね手段２５の抵抗に抗して生じる。
【００２３】
前記案内フィンガー２２は、案内されたジョー１８ｂの軸線に対してほぼ垂直な方向に突出している駆動歯部のような駆動手段２７を更に有している。前記第１のジョー１８ａと協力するこのような駆動手段２７は、グリッパー１２を開閉するように設けられている。
【００２４】
上述したようにヒンジ手段１９に枢支された第１のジョー１８ａは、ボディ２８と、案内されたジョー１８ｂの前記フック２４に全体が類似したフック２９とを有している。
【００２５】
これら第１のジョー１８ａは、前記案内されたジョー１８ｂの駆動手段２７のための受入れ手段３０を更に有している。これら受入れ手段３０は、一体的に回動するように、シャフト（図示されず）によって第１のジョー１８ａのボディ２８に結合されている。これら受入れ手段３０は、案内されたジョー１８ｂの駆動手段２７（駆動歯部）のための座部を形成しているギャップにより互いに離間された１対の歯部３１,３１’を夫々有している。
【００２６】
前記環状の結合プレート１６は、環状の変位部材１０の透孔３２’とアライメントされ分配スター１の半径方向に対してほぼ垂直な関係で夫々位置された複数のスロット３２を有している。
【００２７】
これらスロット３２と、対応した透孔３２’とには、ピン３３が夫々挿入され、これらピンは、前記支持部材９と環状の固定された部材１３とに対する環状の変位部材１０の径方向でのバランスを維持している。少なくとも３つのスロット３２とピン３３とが、環状の変位部材１０の正確な位置付けを可能にするために必要であるが、４つ以上が、図２に示されるように使用されることもできる。
【００２８】
上述されたような環状の調節可能な部材１４は、複数の切欠部材１５を支持している。これら切欠部材１５は、弓状の外形を有し、これら切欠部材の幅は、ボトルのサイズにより決定される。即ち、比較的大きなボトルのネック部は、比較的大きな幅の切欠部材１５を必要とする。異なる幅の切欠部材１５が、通常使用される種々のボトルのネック部のサイズ用に、環状の調節可能な部材１４の外周に沿ってシーケンスで設定されている。
【００２９】
横方向の断面図（図４を見よ）において、前記切欠部材１５は、ボトルのネック部の突出カラーＢを収容するように成形されたスリット形成部３４を示している。これは、グリッパー１２によるボトルの係合を改善している。
【００３０】
ねじ手段のような適切に緩めることが可能な固定手段３５が、前記環状の調節可能な部材１４を所望の位置に設定するように設けられている。図示されているように、ねじのヘッド部３６は、環状の調節可能な部材１４の下面に係合するのに十分大きい。かくして、この調節可能な部材は、前記ヘッド部３６と、環状の固定された部材１３の下面との間で押圧されている。環状の調節可能な部材１４のセンタリングを可能にするために、環状の固定された部材１３は、段形成部３７を有している。この段形成部には、前記環状の調節可能な部材１４が当接されている。この段形成部３７は、環状の調節可能な部材１４用の径方向のストッパー手段として機能している。
【００３１】
前記緩めることが可能な固定手段３５が緩められると、環状の調節可能な部材１４は、非係合され、適切な切欠部材１５を正確に位置付けてグリッパー１２とアライメントさせるように回動される。
【００３２】
本発明の分配スター１の動作が、以下に説明される。
【００３３】
非動作時では、グリッパー１２は、静止状態にあり、ジョー１８ａ，１８ｂは、開成されている。カム手段１１の第１の作用成形面２０ａが、案内フィンガー２２に作用すると、案内されたジョー１８ｂが、ばね手段２５の抵抗に抗して時計回りに回動するように駆動される。かくして、駆動手段２７が、第１のジョー１８ａの歯部３１，３１’の壁部に作用し、かくして、ヒンジ手段１９を中心として第１のジョーを反時計周りに回動させる。これら２つのジョー１８ａ，１８ｂの回動により、これらジョーは、図２又は３に示されているように、容器Ｃのネック部の周りで閉成される。
【００３４】
続くグリッパー１２の開成時、即ち、カム手段１１の第１の作用成形面２０ａが静止位置に戻るとき、駆動手段２７は、再び、案内されたジョー１８ｂと一体的に移動する。
【００３５】
異なる直径のネック部のボトルが、分配スター１で処理されるとき、リング構造体２は、後述されるように、容易に適用されることができる。
【００３６】
固定手段１７’が、分配スター１の軸線の周りでの環状の変位部材１０の回動を可能にするために、緩められる。環状の変位部材１０の回動は、ピン３３に動作してこれらピンをスロット３２中に移動させ得ることにより、容易に果たされることができる。このようにして、カム手段１１は、分配スターの外周に沿って変位される。これにより、予め負荷がかけられたばね手段２５により引っ張られた案内フィンガー２２が、カム手段１１の第１の作用成形面２０ａに抗して新たな静止位置に適合される。この結果、案内されたジョー１８ｂが、わずかに回動し、駆動手段２７により第１のジョー１８ａを同じ程度回動させる。この結果、両ジョーは、ボトルＣのネック部の異なる直径に適合するように開閉する。
【００３７】
刻み目又はラベルのような適切な調節マークが、システムの正確な調節を容易にするように、処理されるボトルの直径を、ピン３３の異なる位置と組み合わせて示すことができる。
【００３８】
また、環状の調節可能な部材１４が、ボトルのネック部の所望の直径に適合されなければならない。これは、上述したように、環状の調節可能な部材１４を固定位置に設置している（ねじ手段のような）固定手段３５を緩めて、適切な切欠部材１５をグリッパーとアライメントさせるように位置付け得るように調節可能な部材を回動させることにより、果たされることができる。そして、固定手段は、環状の調節可能な部材１４を新たな動作状態に設定するように、再び締められる。
【００３９】
かくして、本発明に係わる分配スター１の利点は、明らかである。
【００４０】
説明されたグリッパーメカニズムのおかげで、カム手段がスターの軸線の周りで変位することにより、グリッパーのジョー１８ａ，１８ｂの幅を異なる直径のボトルのネック部に調節することが可能である。前記切欠部材１５は、また、環状の調節可能な部材１４の回動により容易に適合されることができる。
【００４１】
このような調節は、分配スター１を分解することなく、容易かつ迅速な方法で果たされることができる。これにより、プラントの停止時間を大きく低減して、生産性を向上させることが可能である。
【００４２】
好ましい実施形態では、前記駆動手段２７は、同じ出願人の名前の欧州特許出願第０６４２５３９９号の図１並びに４ないし５頁に記載されているようなものであり、対応した開示内容は、参照により明細書に組み込まれる。要約すると、駆動手段２７は、案内されたジョー１８ｂと一体的ではない、即ちヒンジ手段１９’に枢支されたボディを有している。駆動手段２７は、このヒンジ手段から、案内されたジョー１８ｂの軸線に対してほぼ垂直な方向に突出している。
【００４３】
この駆動手段２７のボディは、ほぼ相補的な形状を有しシャフト２３近くの案内フィンガー２２のボディに意図的に形成されキャビティ内に収容されている。前記ボディは、ほぼ円形の平面部分を有し、この平面部分は、案内フィンガー２２のボディの当接面に当接して駆動手段２７が時計回りに回動するのを防止するが反時計回りに回動するのを可能にする歯止め部を形成する工程により、遮られる。駆動手段２７のボディは、逃げ部を更に有し、この逃げ部には適切なばね手段が作用する。このばね手段の他端部で、前記ばね手段は、案内フィンガー２２のボディに形成されたストッパー部材に作用し、前記当接面に当接された歯止め部を保持するように予め負荷が与えられている。
【００４４】
前記駆動手段２７は、駆動手段２７に作用するばね手段に適切に予め負荷がかけられ、かくして、ばね手段が、駆動手段２７に力を与えて駆動手段を反時計回りに回動させ得るスラスト反応を相殺するという事実のために、案内されたジョー１８ｂと一体的に移動する。
【００４５】
グリッパー１２の次の開成時、即ち、カム手段１１の第１の作用成形面２０ａが静止位置に戻るとき、駆動手段２７は、この駆動手段２７が時計回りに回動するのを防止する歯止め部のために、案内されたジョー１８ｂと再び一体的に移動する。
【００４６】
異常事態が生じたとき、例えば、容器Ｃがマシンの固定部分に巻き込まれたとき、この容器Ｃのネック部が、レバーとして第１のジョー１８ａに作用してこの第１のジョーを時計回りに回動させ、従って、歯部３１，３１’が、駆動手段を反時計回りに回動させるように駆動手段２７に作用する。駆動手段２７が、対応したばね手段の抵抗に抗して反時計周りに自由に回動する場合、前記ばね手段の事前の負荷力が克服されたとき、グリッパー１２が、グリッパーにダメージを生じさせることなく容器Ｃを放し得る程度に開成する。反対に、駆動手段２７が、上述された第１の実施形態のように、案内されたジョー１８ｂと一体的であるとき、グリッパーは、破壊されるか少なくとも破損される。
【００４７】
グリッパー１２が、本発明の手段により破損又は破壊されるのが防止されるという事実は、予備のパーツのコストが減じられるだけでなく、とりわけ、破損されたピースの交換を可能にするプラントの動作の中断回数が劇的に減じられて、製造サイクルの簡略化をもたらすことを意味している。
【００４８】
かくして、１）ボトルのネック部の異なる直径に対して分配スターを調節するという特長と、２）上述された第２の実施形態に与えられたように、グリッパー１２の不慮の破損を回避するように、グリッパーアッセンブリに比較的大きな弾性を与えるという特長との両方の組み合わせは、プラントの生産性を最適にし、人間の介入を少なくし、かくして作業コストを低減するのに特に有用である。
【００４９】
本発明の特定の実施形態のみが明細書に記載されているが、当業者は、この実施形態に、特定の応用例への適用のために必要とされるいずれか並びに全ての変更が、添付の特許請求の範囲に規定されているような本発明の保護の範囲から逸脱することなくなされ得ることは、理解されるだろう。
【図面の簡単な説明】
【００５０】
【図１】ボトルのネック部を係合する本発明の分配スターの斜視図である。
【図２】図１のスターの上面図である。
【図３】図１のスターの細部の下面図である。
【図４】図３のＩＶ−ＩＶに従った断面図である。
【符号の説明】
【００５１】
１…分配スター、２…リング構造体、１０…環状の変位部材、１１…カム手段、１２…グリッパー、１３…環状の固定された部材
【図１】
2009035427.tif 000003
【図２】
2009035427.tif 000004
【図３】
2009035427.tif 000005
【図４】
2009035427.tif 000006
【外国語明細書】
2009035427000001.pdf